(57)【要約】【課題】スクリーンに文字や図形を表示させる表示システムにおいて、専用ペンやプロジェクターを使用せずに、筆記面に書き込まれた描画情報を表示させることができることを目的とする。【解決手段】当接した部材１０の位置を検出するタッチスクリーン２２と、タッチスクリーンにより検出された部材の位置を表示させる電子ペーパ２３と、タッチスクリーン２２と電子ペーパー２３とを制御する制御手段４９とを備える表示システム９であって、専用ペンなしで筆記面への書き込みができるとともに、簡単な装置構成で文字や図形をスクリーン上に表示させることができる。【選択図】図４
2005335156.tif 000002
【特許請求の範囲】
【請求項１】
当接した部材の位置を検出するタッチスクリーンと、前記タッチスクリーンにより検出された部材の位置を表示させる電子ペーパーと、前記タッチスクリーンと前記電子ペーパーとを制御する制御手段とを備えることを特徴とする表示システム。
【請求項２】
筆記面と前記筆記面に描画を行う筆記部材と、筆記部材の位置を検出するタッチスクリーンと、前記タッチスクリーンにより検出された筆記部材の位置を表示させる電子ペーパーと、前記タッチスクリーンと前記電子ペーパーとを制御する制御手段とを有し、前記制御手段は、前記タッチスクリーンを制御する位置検出制御手段と、前記電子ペーパーを制御する画面表示制御手段とを備えることを特徴とする表示システム。
【請求項３】
前記タッチスクリーンは、前記電子ペーパーの上面又は下面に配置されることを特徴とする請求項１又は２記載の表示システム。
【請求項４】
前記制御手段は前記筆記部材の属性を制御するパレット情報制御手段を有することを特徴とする請求項１又は２記載の表示システム。
【請求項５】
前記制御手段は前記筆記部材の位置を描画情報として制御を行う描画情報制御手段を有することを特徴とする請求項１又は２記載の表示システム。
【請求項６】
前記制御手段は前記筆記部材の位置をドキュメント情報のページ操作を行うドキュメント情報操作手段を有することを特徴とする請求項１又は２記載の表示システム。
【請求項７】
前記制御手段は前記筆記手段の位置をドキュメント情報として呼び出し制御を行うファイル制御手段を有することを特徴とする請求項１又は２記載の表示システム。
【請求項８】
スクリーンと前記スクリーンに描画を行う部材と、部材の位置を検出するタッチスクリーンと、前記タッチスクリーンにより検出された部材の位置を表示させる電子ペーパーと、前記タッチスクリーンと前記電子ペーパーとを制御する制御手段とを有し、前記制御手段は、前記タッチスクリーンを制御する位置検出制御手段と、前記電子ペーパーを制御する画面表示制御手段と、部材の属性を制御するパレット情報制御手段と、部材の位置を描画情報として制御する描画情報制御手段と、部材の位置をドキュメント情報として保持するドキュメント情報操作手段と、部材の位置を描画情報として保存又は呼び出し制御を行うファイル制御とを備えることを特徴とする電子黒板システム。
【請求項９】
部材がスクリーンに描画するステップと、タッチスクリーンが部材の位置を検出するステップと、パレット制御部が部材の種類を判定するステップと、描画情報制御部が前記部材の位置を描画情報へ表示するステップと、ドキュメント情報操作部が前記描画情報をドキュメント情報として操作するステップと、ファイル制御部が前記ドキュメント情報をファイル保存又は呼び出しするステップと、電子ペーパーが前記ドキュメント情報を表示させるステップとからなることを特徴とする表示制御方法。
【発明の詳細な説明】
【技術分野】
【０００１】
本発明は、スクリーンに書かれた文字等を紙やＰＣデータとして記録することの可能な表示システム及び電子黒板システム及び表示制御方法に関する。
【背景技術】
【０００２】
近年、スクリーンに描かれた文字等を様々な方式で記録する機能を搭載した電子黒板システムが見うけられる。
【０００３】
ここで、従来の電子黒板システムの概略を図１３、図１４および図１５を用いて説明する。図１３は従来の電子黒板システムを示す概略図、図１４従来の電子黒板システムの一例を示す概略図、図１５は従来の電子黒板システムの一例を示す概略図である。
【０００４】
従来の電子黒板システムでは、図１３のようにスクリーン１３１にマーカー１３２で描かれた文字等を、搭載されたスキャナ１３３で、スキャナ１３３あるいはスクリーン１３１を駆動することによってスクリーン全体をスキャンし、同じく搭載されたプリンタ１３４で紙に印刷できるものがある。
【０００５】
また、図１４のように位置検出装置を備えたスクリーン１４１に電子ペンあるいは指やスタイラス等の部材１０で描かれた文字等を、インターフェイスケーブル１４２を通じてＰＣ１４３に取り込み、映像ケーブル１４４を通じてプロジェクター１４５でスクリーンに投影するものもある。（特許文献１）には、具体的な従来例を開示した電子黒板が記載されている。
【０００６】
さらには、図１５のように、プラズマＴＶなどに位置検出装置を取り付け、インターフェイスケーブル１５２を通じて電子ペンあるいは指やスタイラス等の部材１０で描かれた文字等をＰＣ１５３に取り込み、映像ケーブル１５４を通じてスクリーンに表示させることで、プロジェクターなしでシステムを実現しているものもある。
【特許文献１】特開２００２−３０４２５２号公報
【発明の開示】
【発明が解決しようとする課題】
【０００７】
しかしながら、図１３のように紙に出力すると、内容がデジタルデータ化されないため、データの有効活用の面で問題がある。また、マーカーを使用するため、新しい内容を描くにはイレーサー等で一旦スクリーンに描かれた軌跡を消去しなければならない。しかもマーカー、イレーサーは消耗品なので買い替えに費用が掛かる。さらには、スクリーンあるいはスキャナを駆動して、スクリーン全体を光学的にスキャンしなければならないため、スクリーン部の機構が大掛かりになる。
【０００８】
また、図１４のようにプロジェクターを使用すると、プレゼンテーション等の際に、プロジェクターの前に立つと影ができて使用しにくい。そこで図１５のようにプラズマＴＶ等を使用するとなれば高価で、また重量もあり移動に不便である。また、図１４および図１５においては、必ずＰＣを接続しなければならないので、使用するまでの設定が面倒である。
【０００９】
以上のことから、スクリーン自体が軽量な位置検出装置と表示装置を持ち、なおかつ電子黒板自体で描画したデータを保存かつ呼出可能であるというふうになれば、ユーザはマーカーや電子ペンなしの描画が可能であり、移動が容易で、なおかつプロジェクター、Ｐ
Ｃなどの周辺装置を接続することなく電子黒板を使用することができる。
【００１０】
そこで、本発明においては、スクリーンとして軽量な位置検出装置と表示装置を持ち、装置自体でデータ保存と呼出が可能な表示システム及び電子黒板システム及び表示制御方法を提供することを目的とする。
【課題を解決するための手段】
【００１１】
上記課題を解決するために本発明の電子黒板システムは、当接した部材の位置を検出するタッチスクリーンと、前記タッチスクリーンにより検出された部材の位置を表示させる電子ペーパーと、前記タッチスクリーンと前記電子ペーパーとを制御する制御手段とを備えた構成としたものである。
【００１２】
これにより、ユーザはマーカーや電子ペンなしで、スクリーンに指やスタイラスの部材１０でなぞった文字や図形をそのままスクリーンに表示できるとともに、運搬を容易に行うことができる。また、電子黒板自体に軽量な位置検出手段および表示手段を搭載するようにしたため、かつプロジェクターやＰＣを接続することなくスクリーンに文字や図形を描くことができ、かつ移動も容易に行うことができる。
【発明の効果】
【００１３】
本発明の位置検出手段は上記構成を有し、タッチスクリーン、表示手段は電子ペーパなどの薄くて軽い素材をそれぞれ使用することによって、マーカーや電子ペンなしで、スクリーンに指やスタイラスなどの部材１０でなぞった文字や図形をそのままスクリーンに表示し、なおかつ運搬を容易に行うことができる。
【発明を実施するための最良の形態】
【００１４】
本発明の請求項１に記載の発明は、当接した部材の位置を検出するタッチスクリーンと、タッチスクリーンにより検出された部材の位置を表示させる電子ペーパーと、タッチスクリーンと電子ペーパーとを制御する制御手段とを備える表示システムであって、スクリーンに指やスタイラスなどの部材１０で文字や図形を描画でき、そのままスクリーンに表示でき、且つ薄くて軽い素材を位置検出装置と表示装置としてそれぞれ使用するので、運搬を容易に行えるという効果を有する。
【００１５】
本発明の請求項２に記載の発明は、請求項１の発明において、筆記面と前記筆記面に描画を行う筆記部材と、筆記部材の位置を検出するタッチスクリーンと、タッチスクリーンにより検出された筆記部材の位置を表示させる電子ペーパーと、タッチスクリーンと電子ペーパーとを制御する制御手段とを有し、制御手段は、タッチスクリーンを制御する位置検出制御手段と、電子ペーパーを制御する画面表示制御手段とを備える表示システムであって、マーカーや電子ペンなしで、指やスタイラスなどの部材１０で筆記面へ描画できるとともに、描画した内容を表示するので、プロジェクターやＰＣを接続することなく筆記面に文字や図形を描画することができるという効果を有する。
【００１６】
本発明の請求項３に記載の発明は、請求項１または２に記載の発明において、タッチスクリーンは、電子ペーパーの上面又は下面に配置される表示システムであって、用途に応じて、簡単な位置検出装置を構成できるという効果を有する。
【００１７】
本発明の請求項４に記載の発明は、請求項１または請求項２に記載の発明において、制御手段は筆記部材の属性を制御するパレット情報制御手段を有することを特徴とする表示システムであって、使用者が文字や図形を描くときに色や線の種類等を自由に選択できるという効果を有する。
【００１８】
本発明の請求項５に記載の発明は、請求項１または請求項２に記載の発明において、制御手段は筆記部材の位置を描画情報として制御する描画情報制御手段を有する表示システムであって、筆記部材の位置を文字や図形として表示することができるという効果を有する。
【００１９】
本発明の請求項６に記載の発明は、請求項１または請求項２に記載の発明において、制御手段は筆記部材の位置をドキュメント情報のページ操作を行うドキュメント情報操作手段を有する表示システムであって、ページ毎の操作及び管理を行うので、ページの作成、削除、移動等を自由に行うことができるという効果を有する。
【００２０】
本発明の請求項７に記載の発明は、請求項１または請求項２に記載の発明において、制御手段は筆記手段の位置をドキュメント情報として呼び出し制御を行うファイル制御手段を有する表示システムであって、ドキュメント情報をファイル毎に制御するので、ファイル形式での呼び出し等ができるという効果を有する。
【００２１】
本発明の請求項８に記載の発明は、スクリーンとスクリーンに描画を行う部材と、部材の位置を検出するタッチスクリーンと、タッチスクリーンにより検出された部材の位置を表示させる電子ペーパーと、タッチスクリーンと電子ペーパーとを制御する制御手段とを有し、制御手段は、タッチスクリーンを制御する位置検出制御手段と、電子ペーパーを制御する画面表示制御手段と、部材の属性を制御するパレット情報制御手段と、部材の位置を描画情報として制御する描画情報制御手段と、部材の位置をドキュメント情報として保持するドキュメント情報操作手段と、部材の位置を描画情報として保存又は呼び出し制御を行うファイル制御とを備える電子黒板システムであって、薄くて軽い素材をそれぞれ使用したので、マーカーや電子ペン無しでスクリーンに指やスタイラスなどの部材１０でなぞった文字や図形をそのままスクリーンに表示することができるとともにページの呼び出しや保存ができ、更には運搬も容易行うことができるという効果を有する。
【００２２】
本発明の請求項９に記載の発明は、部材がスクリーンに描画するステップと、タッチスクリーンが部材の位置を検出するステップと、パレット制御部が部材の種類を判定するステップと、描画情報制御部が部材の位置を描画情報へ表示するステップと、ドキュメント情報操作部が描画情報をドキュメント情報として操作するステップと、ファイル制御部がドキュメント情報をファイル保存又は呼び出しするステップと、電子ペーパーがドキュメント情報を表示させるステップとからなる表示制御方法であって、色や図形の種類等を選択できるようにしたので、ユーザは描画する文字に色を設定したり、図形を描画したりすることができまた、ファイル形式としても保存かつ呼出を行えるようにしたので、ユーザは以前の軌跡を消去することなく新しいページを呼び出したり、以前描いたページを即座に呼び出すことがっできという効果を有する。
【００２３】
以下、本発明の一実施の形態について、図１から図１２を用いて説明する。
【００２４】
（実施の形態１）
図１は本発明の一実施の形態における電子黒板を示す説明図、図２は図１の電子黒板が備える位置検出装置及び表示装置を示す説明図、図３は図２の電子黒板が有する本体のハードウェアブロック図、図４は図２の電子黒板の機能ブロック図、図５は図４の機能ブロック図におけるドキュメント情報の構造を示す説明図、図６（ａ）は文字の描画情報に格納されているデータ例を示す説明図、図６（ｂ）矩形の描画情報に格納されているデータ例を示す説明図、図７（ａ）は電子黒板のカラーパレット１３を拡大した説明図、図７（ｂ）は色の編集ダイアログ画面の例を示した説明図、図８（ａ）は図１のツールパレット１４を拡大した説明図、図８（ｂ）は矩形を作成、又は変更するための編集ダイアログ画面の例を示した説明図、図９は図２の電子黒板のスクリーン上での操作時の処理を示すフ
ローチャート、図１０は図２の電子黒板の矩形選択時のスクリーン上での操作時の処理を示すフローチャート、図１１は図２の電子黒板のページ操作時の処理を示すフローチャート、図１２は図２の電子黒板のファイル操作時の処理を示すフローチャートである。
【００２５】
図１において、１１は電子黒板本体の電源スイッチ、１２はユーザが文字や図形などを描くためのスクリーン、１３はユーザが軌跡や図形に付ける色を選択するためのカラーパレット、１４はユーザがスクリーン上でどのような操作を行うかを選択するツールパレット、１５はユーザが描いた文字や図形などをページ毎の描画データとして記録し、これをページ単位で呼び出したり複数記録されたページをドキュメントとしてファイル形式で保存したりするドキュメント操作バー、１６はファイルを保存したり呼び出したりするためのメモリカード等の外部記憶媒体を挿入するスロットである。
【００２６】
図１において、カラーパレット１３については、図１１を用いて、ツールパレット１４については、図５、図６のフローチャート、および図１２を用いて、ドキュメント操作バー１５については、図７および図８のフローチャートを用いて詳細に後述する。
【００２７】
尚、図１では、カラーパレット１３、ツールパレット１４、ドキュメント操作バー１５をスクリーン上で使用するアプリケーションソフトウェアの一部として用意しているが、これがスクリーンの外側にボタンやスイッチ等、機構的に用意されたものであっても構わない。
【００２８】
また、図１では、パレットとしてカラーパレット、ツールパレットの２種類しか用意していないが、線種パレット等、共用データとして扱えるものをパレットしても良い。
【００２９】
次に、図２において、２１は電子黒板本体、２２は位置検出装置、２３は表示装置である。
【００３０】
位置検出装置２２はユーザが指あるいはスタイラスなどの部材１０でスクリーン上をなぞった位置を時系列に記録するもので、例では位置検出装置として透明な素材でできたタッチスクリーンを使用している。透明としたのは表示装置２３を下に配置しているためであるが、表示装置２３の下にあっても位置を検出できるしくみである場合は透明でなくても良い。また、例では位置検出装置２２としてタッチスクリーンを使用したが、赤外線と超音波で検出する方式や、赤外線マトリクス方式のようにフレームに検出装置を実現する方式であっても良い。但しこの場合はタッチスクリーンよりも重量の面でやや劣る。
【００３１】
表示装置２３は位置検出装置２２によって検出された位置を再現するもので、本発明の例では電子ペーパを使用している。この例では電子ペーパとしたが、薄くて軽量であれば有機ＥＬ等、他のディスプレイであっても良い。
【００３２】
図３において、本発明の一実施の形態における電子黒板本体は、処理を制御するＣＰＵ（中央処理演算装置）３１、ＣＰＵ３１が実行するプログラムを格納するＲＯＭ（リード・オンリー・メモリ）３２、ユーザが描いた文字や図形等の描画情報を一時的に格納するＲＡＭ（ランダム・アクセス・メモリ）３３、および、ユーザが描いた文字や図形等の描画情報をファイル形式で保存するための補助記憶装置３４等により構成される。
【００３３】
図４において、４１はユーザがスクリーンに描いた軌跡を検出する位置検出装置、４２は位置検出装置の制御を行う位置検出制御部、４３はスクリーンに描画する色および軌跡の種類を、それぞれカラーパレットおよびツールパレットとして制御するパレット情報制御部、４４は前記位置検出装置４１によって検出された軌跡を現在ページの描画情報として制御する描画情報制御部、４５は前記描画情報制御部４４に格納された描画情報をスク
リーンに表示する時の制御を行う画面表示制御部、４６は前記画面表示制御部４５によって制御された情報をスクリーンに表示する表示装置、４７は前記描画情報制御部４４に格納された１ページ分の描画情報を、複数ページ分格納してドキュメント情報として保持し、新規ページ作成、ページ移動、ページ削除等のページ操作を行うドキュメント情報操作部、４８は前記ドキュメント情報操作部４７に格納されたドキュメント情報をファイルとして内部記憶装置および外部記憶装置に保存かつ前記記憶装置から呼出を行うファイル制御部、４９はシステム全体の制御を行う制御部である。
【００３４】
図５において、ドキュメント情報９１はドキュメント全体に共通で使用する情報を格納したドキュメント基本情報と、さらにページ情報をリストで保持している。ページ情報リストの一単位であるページ情報９２は、１ページに共通で使用する情報を格納したページ基本情報と、さらに描画情報をリストで保持している。描画情報リストの一単位である描画情報９３および９４は、図形の種類と、その種類に沿った図形データを保持している。例えば描画情報９３では、「図形種類＝フリーハンド」となっており、色に関する情報や線に関する情報に加えて、図６（ａ）の例えばＳ１のような単純にユーザが描いた位置を座標として順番に保持する。図６（ａ）では、Ｓ１、Ｓ２、Ｓ３がそれぞれひとつの描画情報にあたり、この場合３つのフリーハンドタイプの描画情報が集まって「あ」という文字が表現されていることがわかる。また描画情報９４では、「図形種類＝矩形」となっており、フリーハンドの時と同様に色に関する情報や線に関する情報が格納されているが、それ以降は図６（ｂ）のように表される（左上座標Ｘ、左上座標Ｙ、幅、高さ）という矩形専用の情報が格納される。このように、ひとつの描画情報は、図形の種類と、その種類に沿った図形データを保持するようなデータ構造となっている。
【００３５】
図７（ａ）において、１１１は一つの色を表しており、この例ではカラーパレットに全部で８種類の色を表示している。表示する色の数は自由に設定して構わない。また、１１１を選択した状態で１１１をダブルクリック等のアクションを通じて、図７（ｂ）のように色の編集ダイアログ画面を表示させるとすると、１１２に現在の色を表示させた状態で、例えば色をＲＧＢで表現している場合は数値ボックス１１３に入力された数値を変更することで色の編集を行うことも可能である。この例ではカラーパレットの色を選択した状態で、選択した色の編集を行っているが、別途、全ての色を表示するような編集ダイアログ画面を表示して、そこで全ての色について編集できるような仕様にしても構わない。
【００３６】
このカラーパレットはドキュメント情報毎に持つことが可能であり、管理するのは図４におけるパレット情報制御部４３である。管理されたカラーパレットの情報は、図９のドキュメント情報９１のドキュメント基本情報に保持される。このカラーパレットで選択した色が、以降描かれる文字や図形に適用されることとなる。すなわち図９における描画情報９３および９４には、このパレットで管理された色の情報が保持される。
【００３７】
図８（ａ）において、１２１は矩形を作成するためのアイコ７ン、１２２はスクリーンの一部を拡大あるいは縮小するアイコン、１２３はフリーハンドで描くためのアイコンである。その他のアイコンの説明は省略するが、アイコンはスクリーン上で操作可能なものであれば何を用意しても構わない。ユーザがスクリーン上を指やスタイラスなどの部材１０でクリック、ダブルクリック、ドラッグ、といった操作をした場合は、その時ツールパレットで何を選択しているかで以降の動作が切り替わるしくみとなっている。例えば矩形アイコン１２１を選択していれば、スクリーン上で指やスタイラスなどの部材１０をダウン→ドラッグ→アップすると、ダウン位置とアップ位置を対角線とする矩形が作成される。また、拡大／縮小アイコン１２２を選択していれば、ダウン位置とアップ位置を対角線とする矩形を中心とした拡大あるいは縮小画面が表示される。
【００３８】
図８（ｂ）は、ツールパレットで矩形アイコン１２１を選択した状態で、スクリーン上
の任意の場所をダブルクリックする等のアクションを通じて表示させた矩形用の編集ダイアログ画面である。図８（ｂ）において、１２４は矩形の塗りの色を設定する領域、１２５は線種、線幅、線色、といった線の属性を設定する領域、１２６は左上Ｘ座標、左上Ｙ座標、幅、高さ、といった矩形自体の数値を設定する領域である。ここで設定された情報が例えば図９でいうところの描画情報９４に保持される。
【００３９】
ツールパレットでどのアイコンが選択されているかという情報は、図４におけるパレット情報制御部４３が管理している。そして制御部４９はユーザが指やスタイラスなどの部材１０で操作を行った時に、パレット情報制御部４３から何のアイコンが選択されているかの情報を取得し、以降の処理を行うしくみとなっている。
【００４０】
次に、本発明の一実施の形態における主な処理の流れを各フローチャートに沿って説明する。
【００４１】
先ず、図９において、ユーザが指やスタイラス（以降、指で代表する）などの部材１０を使用してスクリーン上でなんらかのアクションを起こすと、図４における位置検出装置４１が座標（Ｘ，Ｙ）を位置として検出する（ステップＳ５１）。検出された位置は、位置検出制御部４２を通じて制御部４９に通知される。
【００４２】
ステップＳ５２において、図４における制御部４９は、現在のモード、すなわちツールパレットでどのアイコンが選択されているかをパレット情報制御部４３に問い合わせる。現在のアイコンが矢印である場合は、矢印選択処理へ進む（ステップＳ５３）。アイコンが直線の場合は直線作成処理へ進む（ステップＳ５４）。アイコンが矩形の場合は矩形作成処理へ進む（ステップＳ５５）。アイコンがフリーハンドの場合は自由線作成処理へ進む（ステップＳ５６）。その他アイコンについては省略するが、アイコンが示す各処理へとそれぞれ移行し、処理を終了することとなる。
【００４３】
ステップＳ５３、ステップＳ５４、ステップＳ５６については処理の詳細な説明を省略し、ステップＳ５５の矩形作成処理についてのみ詳しく説明する。ステップＳ５５において、更に、図１０に示す次の矩形作成処理へと移行する。
【００４４】
ここで図１０において、矩形アイコン選択時の処理について詳細に説明する。
【００４５】
図４における制御部４９は、現在の操作、すなわちユーザがスクリーン上でどのようなアクションをしているかを調べる（ステップＳ６１）。ユーザが指１０をダウン、すなわちスクリーンにタッチしたばかりの状態であれば、作成中フラグ  ＯＮへ進む（ステップＳ６１１）。指１０をムーヴ、すなわちスクリーン上を移動している状態であれば、作成中かどうか判断する（ステップＳ６２１）。指１０をアップ、すなわちスクリーンから離れた場合は作成中であるかどうか判断する（ステップＳ６３１）。指１０をクリック、すなわちスクリーン上で移動することなくスクリーンから離れた場合作成中かどうか判断する（ステップＳ６４１）。指１０をダブルクリック、すなわちスクリーン上で移動することなく、同じ位置でのクリックを素早く２回繰り返した場合は矩形ダイアログ表示する（ステップＳ６５１）。
【００４６】
次に、矩形を作成中である場合、矩形を作成中であることを示す作成中フラグをＯＮにし（ステップＳ６１１）、作成中フラグは制御部４９（図４に図示）に格納され、検出された位置の座標（Ｘ，Ｙ）を始点として（ステップＳ６１２）、処理を終了し、始点は制御部４９（図４に図示）に格納される。
【００４７】
ステップＳ６２１において、制御部４９は、作成中フラグがＯＮか、すなわち現在矩形
を作成中であるかを調べる。作成中である場合はステップＳ６２２へ移行する。作成中でない場合は処理を終了する。
【００４８】
ステップＳ６２２において、検出された位置の座標（Ｘ，Ｙ）を新たな終点とし、終点は制御部４９に格納され、制御部４９に格納された始点と終点を対角線とした矩形をドラッグ中の矩形としてスクリーンに点線等を用いて描画し、処理を終了する（ステップＳ６２３）。
【００４９】
ステップＳ６３１において、制御部４９は、作成中フラグがＯＮかを調べる。作成中である場合はステップＳ６３２へ移行する。作成中でない場合は処理を終了する。
【００５０】
ステップＳ６３２において、制御部４９は矩形の作成を終了することを示すべく、作成中フラグをＯＦＦにする。
【００５１】
ステップＳ６３３において、制御部４９は始点と終点を対角線とした矩形を新しい描画情報として新規作成する。図５でいえば描画情報９４がこれに該当する。この時、色情報はパレット情報制御部４３が保持する、現在選択されている色から取得する。また、線種パレットなど、他に共用データを扱うパレットが存在する場合は、そこから情報を取得することになる。
【００５２】
ステップＳ６３４において、制御部４９は作成した描画情報９４を描画情報制御部４４に渡し（図４に図示）、描画情報制御部４４は自体が管理する現在のページ情報の描画情報リストに図５の描画情報９４を登録する。
【００５３】
ステップＳ６３５において、制御部４９は図４における画面表示制御部４５に、描画情報制御部４４が管理する現在ページの、先程作成した描画情報９４の表示を要請し、画面表示制御部４５は表示装置４６に矩形を表示して処理を終了する。
【００５４】
ステップＳ６４１において、制御部４９は、作成中フラグがＯＮかを調べる。作成中である場合はステップＳ６４２へ移行する。作成中でない場合は処理を終了する。
【００５５】
ステップＳ６４２において、制御部４９は矩形の作成を終了することを示すべく、作成中フラグをＯＦＦにして処理を終了する。この場合、指１０は始点から移動していないので、矩形は作成されない。
【００５６】
ステップＳ６５１において、制御部４９は、図８（ｂ）の矩形編集用のダイアログ画面を表示する。ユーザは希望の数値をダイアログ画面に入力して実行、あるいはキャンセルを選択する。
【００５７】
ステップＳ６５２において、制御部４９は、ダイアログ画面が実行されたかを調べる。実行された場合はステップＳ６５３へ移行する。キャンセルされた場合は処理を終了する。
【００５８】
ステップＳ６５３において、ダイアログ画面に入力されたデータに基づいて、新しい描画情報として矩形を新規作成する。図５でいえば描画情報９４がこれに該当する。
【００５９】
ステップＳ６５４において、制御部４９は作成した描画情報９４を描画情報制御部４４に渡し、描画情報制御部４４は自体が管理する現在のページ情報の描画情報リストに描画情報９４を登録する。
【００６０】
ステップＳ６５５において、制御部４９は図４における画面表示制御部４５に、描画情報制御部４４が管理する現在ページの、先程作成した描画情報９４の表示を要請し、画面表示制御部４５は表示装置４６に矩形を表示して処理を終了する。
【００６１】
図１１を用いて、ユーザが指やスタイラスなどの部材１０で図１におけるドキュメント操作バー１５の、ページ操作に関するいずれかのボタンを選択した時の処理の過程を説明する。
【００６２】
まず、ユーザが指やスタイラスなどの部材１０を使用してスクリーン上で、「新規ページ」、「前ページ」、「次ページ」、「ページ削除」のいずれかのページ操作ボタンを選択する（ステップＳ７１）。
【００６３】
ステップＳ７１において、図４における制御部４９は、ユーザがどのページ操作ボタンを選択したかを調べる。「新規ページ」ボタンを選択した場合は、ドキュメント情報操作部４７に対して新規ページ作成処理を要請し（ステップＳ７１１）、「前ページ」ボタンを選択した場合は、前ページ移動処理を要請し（ステップＳ７２１）、「次ページ」ボタンを選択した場合は、次ページ移動処理を要請し（ステップＳ７３１）、「ページ削除」ボタンを選択した場合は、ページ削除処理を要請する（ステップＳ７４１）。
【００６４】
新規ページ作成の場合は、ステップＳ７１１においてドキュメント情報操作部４７は、描画情報制御部４４に格納されている現在ページの情報をドキュメント情報操作部４７の該当のページ情報に上書き保存し（ステップＳ７１１）、キュメント情報操作部４７は、図５のページ情報９２を新しく作成する（ステップＳ７１２）。
【００６５】
ステップＳ７１３において、ドキュメント情報操作部４７は、作成したページ情報９２を図５でいうところのドキュメント情報９１のページ情報リストに登録し、さらに描画情報制御部４４に現在のページとしてページ情報９２を渡す。
【００６６】
ステップＳ７１４において、制御部４９は図４における画面表示制御部４５に、描画情報制御部４４が管理する現在ページの表示を要請し、画面表示制御部４５は表示装置４６に現在のページを表示して処理を終了する。
【００６７】
ステップＳ７２１において、ドキュメント情報操作部４７は、現在のページが先頭ページであるかを調べる。現在のページが先頭ページである場合は、ページをこれ以上前に移動することができないのでそのまま処理を終了する。そうでない場合はステップＳ７２２へ移行する。
【００６８】
ステップＳ７２２において、ドキュメント情報操作部４７は、描画情報制御部４４に格納されている現在ページの情報をドキュメント情報操作部４７の該当のページ情報に上書き保存する。
【００６９】
ステップＳ７２３において、ドキュメント情報操作部４７は、描画情報制御部４４に現在のページとしてひとつ前のページ情報を渡す。
【００７０】
ステップＳ７２４において、制御部４９は図４における画面表示制御部４５に、描画情報制御部４４が管理する現在ページの表示を要請し、画面表示制御部４５は表示装置４６に現在のページを表示して処理を終了する。
【００７１】
ステップＳ７３１において、ドキュメント情報操作部４７は、現在のページが最終ページであるかを調べる。現在のページが最終ページである場合は、ページをこれ以上後ろに
移動することができないのでそのまま処理を終了する。そうでない場合はステップＳ７３２へ移行する。
【００７２】
ステップＳ７３２において、ドキュメント情報操作部４７は、描画情報制御部４４に格納されている現在ページの情報をドキュメント情報操作部４７の該当のページ情報に上書き保存する。
【００７３】
ステップＳ７３３において、ドキュメント情報操作部４７は、描画情報制御部４４に現在のページとしてひとつ後ろのページ情報を渡す。
【００７４】
ステップＳ７３４において、制御部４９は図４における画面表示制御部４５に、描画情報制御部４４が管理する現在ページの表示を要請し、画面表示制御部４５は表示装置４６に現在のページを表示して処理を終了する。
【００７５】
ステップＳ７４１において、ドキュメント情報操作部４７は、現在のページ数が１であるかを調べる。現在のページ数が１である場合は、ステップＳ７４２へ移行する。そうでない場合はステップＳ７４３へ移行する。
【００７６】
ステップＳ７４２において、ドキュメント情報操作部４７は、これ以上ページを削除することができないので、現在ページの図５でいうところのページ情報９２の描画情報リストに登録されている全ての描画情報のみを削除する。そして描画情報制御部４４に現在のページとしてページ情報を渡す。
【００７７】
ステップＳ７４３において、ドキュメント情報操作部４７は、現在ページのページ情報を削除する。すなわち図９でいうところのドキュメント情報９１のページ情報リストから、現在ページとなっているページ情報のみを削除する。
【００７８】
ステップＳ７４４において、ドキュメント情報操作部４７は、描画情報制御部４４に現在のページとして削除したページ情報のひとつ後ろのページ情報を渡す。
【００７９】
ステップＳ７４５において、制御部４９は図４における画面表示制御部４５に、描画情報制御部４４が管理する現在ページの表示を要請し、画面表示制御部４５は表示装置４６に現在のページを表示して処理を終了する。
【００８０】
図１２は、ユーザが指やスタイラスなどの部材１０で図１におけるドキュメント操作バー１５の、ファイル操作に関するいずれかのボタンを選択した時の処理を説明する。
【００８１】
まず、ユーザが指やスタイラスなどの部材１０を使用してスクリーン上で、「新規」、「開く」、「保存」のいずれかのファイル操作ボタンを選択する（ステップＳ８１）。
【００８２】
ステップＳ８１において、図４における制御部４９は、ユーザがどのファイル操作ボタンを選択したかを調べる。「新規」ボタンを選択した場合は、ファイル制御部４８に対して新規ファイル作成処理を要請する（ステップＳ８１１）。「開く」ボタンを選択した場合は、ファイル制御部４８に対してファイル呼出処理を要請する（ステップＳ８２１）。「保存」ボタンを選択した場合は、ファイル制御部４８に対してファイル保存処理を要請する（ステップＳ８３１）。
【００８３】
ステップＳ８１１において、ファイル制御部４８はファイルを新しく作成し、ドキュメント情報操作部４７に作成したファイルの情報、すなわちドキュメント情報を渡す。ドキュメント情報操作部４７は新しいファイルからドキュメント情報を読み込み、描画情報制
御部４４に現在のページとして１ページ目のページ情報を渡す。
【００８４】
ステップＳ８１２において、制御部４９は図４における画面表示制御部４５に、描画情報制御部４４が管理する現在ページの表示を要請し、画面表示制御部４５は表示装置４６に現在のページを表示して処理を終了する。
【００８５】
ステップＳ８２１において、ファイル制御部４８は希望のファイルを呼び出すためのファイル呼出ダイアログ画面を表示する。ユーザは内臓のハードディスクやメモリカード等の外部記憶装置に格納されているファイルを指定することになる。
【００８６】
ステップＳ８２２において、ファイル制御部４８は、指定されたファイルがメモリカード等の外部記憶装置に格納されたファイルかを調べる。メモリカード等の外部記憶装置に格納されたファイルの場合はステップＳ８２３へ移行する。そうでなく内臓のハードディスク等の外部記憶装置に格納されたファイルである場合はステップＳ８２４へ移行する。
【００８７】
ステップＳ８２３において、ファイル制御部４８は、メモリカード等の外部記憶装置にアクセスして、指定のファイルをドキュメント情報操作部４７にドキュメント情報として渡す。ドキュメント情報操作部４７は指定のファイルからドキュメント情報を読み込み、描画情報制御部４４に現在のページとして１ページ目のページ情報を渡す。
【００８８】
ステップＳ８２４において、ファイル制御部４８は、内臓ハードディスク等の外部記憶装置にアクセスして、指定のファイルをドキュメント情報操作部４７にドキュメント情報として渡す。ドキュメント情報操作部４７は指定のファイルからドキュメント情報を読み込み、描画情報制御部４４に現在のページとして１ページ目のページ情報を渡す。
【００８９】
ステップＳ８２５において、制御部４９は図４における画面表示制御部４５に、描画情報制御部４４が管理する現在ページの表示を要請し、画面表示制御部４５は表示装置４６に現在のページを表示して処理を終了する。
【００９０】
ステップＳ８３１において、ファイル制御部４８は現在表示しているドキュメント情報をファイルとして保存するためのファイル保存ダイアログ画面を表示する。ユーザは内臓のハードディスクやメモリカード等の外部記憶装置をファイル保存先として指定することになる。
【００９１】
ステップＳ８３２において、ファイル制御部４８は、ファイルをメモリカード等の外部記憶装置に保存するかを調べる。メモリカード等の外部記憶装置に保存する場合はステップＳ８３３へ移行する。そうでなく内臓のハードディスク等の外部記憶装置に保存する場合はステップＳ８３４へ移行する。
【００９２】
ステップＳ８３３において、ファイル制御部４８は、ドキュメント情報操作部４７から現在のドキュメント情報を受け取り、メモリカード等の外部記憶装置にアクセスしてファイルとして保存して処理を終了する。
【００９３】
ステップＳ８３４において、ファイル制御部４８は、ドキュメント情報操作部４７から現在のドキュメント情報を受け取り、内臓ハードディスク等の外部記憶装置にアクセスしてファイルとして保存して処理を終了する。
【００９４】
以上のように、本発明の一実施の形態の表示システムにおいては、装置自体に軽量な位置検出手段および表示手段を搭載するようにしたため、ユーザはマーカーや電子ペンのような専用ペンなしで、かつプロジェクターやＰＣを接続することなくスクリーンに文字や
図形を描くことができ、かつ移動も容易に行うことができる。
【００９５】
また、スクリーンに文字や図形を描くときに、色や図形の種類等を選択できるようにしたため、ユーザは描画する文字に色を設定したり、図形を描画したりすることができる。
【００９６】
さらには、スクリーンに描いた軌跡をページ毎に記録し、ページ操作をすることで軌跡のあるページを呼び出すことができ、なおかつファイル形式としても保存かつ呼出を行えるようにしたため、ユーザは以前の軌跡を消去することなく新しいページを呼び出したり、以前描いたページを即座に呼び出したり、さらには描いた全ての内容を複数ページのファイルとして保存、呼出を行ったりすることが可能となる。
【産業上の利用可能性】
【００９７】
本発明の表示システム及び電子黒板システム及び表示制御方法は、スクリーンに書かれた文字等を紙やＰＣデータとして記録することの可能な表示システム等に有用である。
【図面の簡単な説明】
【００９８】
【図１】本発明の一実施の形態における電子黒板を示す説明図
【図２】図１の電子黒板が備える位置検出装置および表示装置を示す説明図
【図３】図２の電子黒板が有する本体のハードウェアブロック図
【図４】図２の電子黒板の機能ブロック図
【図５】図４の機能ブロック図におけるドキュメント情報の構造を示す説明図
【図６】（ａ）文字の描画情報に格納されているデータ例を示す説明図、（ｂ）矩形の描画情報に格納されているデータ例を示す説明図
【図７】（ａ）電子黒板のカラーパレットを拡大した説明図、（ｂ）色の編集ダイアログ画面の例を示した説明図
【図８】（ａ）図１のツールパレットを拡大した説明図、（ｂ）矩形を作成、又は変更するための編集ダイアログ画面の例を示した説明図
【図９】図２の電子黒板のスクリーン上での操作時の処理を示すフローチャート
【図１０】図２の電子黒板の矩形選択時のスクリーン上での操作時の処理を示すフローチャート
【図１１】図２の電子黒板のページ操作時の処理を示すフローチャート
【図１２】図２の電子黒板のファイル操作時の処理を示すフローチャート
【図１３】従来の電子黒板システムの一例を示す概略図
【図１４】従来の電子黒板システムの一例を示す概略図
【図１５】従来の電子黒板システムの一例を示す概略図
【符号の説明】
【００９９】
１１    電子黒板本体の電源スイッチ
１２    スクリーン
１３    カラーパレット
１４    ツールパレット
１５    ドキュメント操作バー
１６    メモリカード等の外部記憶媒体を挿入するスロット
２１    電子黒板本体
２２    位置検出装置
２３    表示装置(電子ペーパー)
３１    ＣＰＵ
３２    ＲＯＭ
３３    ＲＡＭ
３４    外部記憶装置
４１    位置検出装置
４２    位置検出制御部
４３    パレット情報制御部
４４    描画情報制御部
４５    画面表示制御部
４６    表示装置
４７    ドキュメント情報操作部
４８    ファイル制御部
４９    制御部
９１    ドキュメント情報
９２    ページ情報
９３    描画情報（図形種類が「フリーハンド」時）
９４    描画情報（図形種類が「矩形」時）
１１１    カラーパレットにおける一つの色
１１２    現在編集中の色
１１３    数値入力ボックス
１２１    ツールパレットの矩形アイコン
１２２    ツールパレットの拡大／縮小アイコン
１２３    ツールパレットのフリーハンドアイコン
１２４    塗りの色
１２５    線の属性を設定する領域
１２６    矩形自体の数値を設定する領域
【図１】
2005335156.tif 000003
【図２】
2005335156.tif 000004
【図３】
2005335156.tif 000005
【図４】
2005335156.tif 000006
【図５】
2005335156.tif 000007
【図６】
2005335156.tif 000008
【図７】
2005335156.tif 000009
【図８】
2005335156.tif 000010
【図９】
2005335156.tif 000011
【図１０】
2005335156.tif 000012
【図１１】
2005335156.tif 000013
【図１２】
2005335156.tif 000014
【図１３】
2005335156.tif 000015
【図１４】
2005335156.tif 000016
【図１５】
2005335156.tif 000017